【誤訳訂正書】
【提出日】平成27年6月22日(2015.6.22)
【誤訳訂正１】
【訂正対象書類名】特許請求の範囲
【訂正対象項目名】全文
【訂正方法】変更
【訂正の内容】
【特許請求の範囲】
【請求項１】
アノードＡｎおよびカソードＫａならびに前記アノードＡｎとカソードＫａとの間に配置された発光層Ｅを含む有機発光ダイオードであって、
該有機発光ダイオードは、発光層Ｅおよび／または少なくとも１つのさらなる層に存在する一般式Ｉ
【化１】
2010532557.tif 000001
［式中、
Ｘは、ＮＲ1、Ｓ、Ｏ、ＰＲ1、ＳＯ2またはＳＯであり；
Ｒ1は、置換または非置換のＣ1〜Ｃ20−アルキル、あるいは非置換のまたはＣ1〜Ｃ20−アルキル、Ｃ6〜Ｃ30−アリール、メトキシ、フェニルオキシ、ハロゲン化Ｃ1〜Ｃ4−アルキル、ハロゲン、ＣＮ、ＳｉＲ14Ｒ15Ｒ16、ジフェニルアミノ、−Ｃ（Ｏ）ＯＣ1〜Ｃ4−アルキル、Ｐ（Ｏ）Ｐｈ2及びＳＯ2Ｐｈからなる群から選択される少なくとも１種のさらなる基によって置換されたＣ6〜Ｃ30−アリール、あるいは５〜３０個の環原子を有する置換または非置換のヘテロアリールであり；
Ｒ2、Ｒ3、Ｒ4、Ｒ5、Ｒ6、Ｒ7は、それぞれ独立して、置換または非置換のＣ1〜Ｃ20−アルキル、あるいは置換または非置換のＣ6〜Ｃ30−アリール、あるいは一般式（ｃ）
【化２】
2010532557.tif 000002
の構造体であり；
Ｒa、Ｒbは、それぞれ独立して、置換または非置換のＣ1〜Ｃ20−アルキル、あるいは置換または非置換のＣ6〜Ｃ30−アリール、あるいは５〜３０個の環原子を有する置換または非置換のヘテロアリール；あるいはＣ1〜Ｃ20−アルコキシ、Ｃ6〜Ｃ30−アリールオキシ、Ｃ1〜Ｃ20−アルキルチオ、Ｃ6〜Ｃ30−アリールチオ、ＳｉＲ14Ｒ15Ｒ16、ハロゲン基、ハロゲン化Ｃ1〜Ｃ20アルキル基、カルボニル（−ＣＯ（Ｒ14））、カルボニルチオ（−Ｃ＝Ｏ（ＳＲ14））、カルボニルオキシ（−Ｃ＝Ｏ（ＯＲ14））、オキシカルボニル（−ＯＣ＝Ｏ（Ｒ14））、チオカルボニル（−ＳＣ＝Ｏ（Ｒ14））、アミノ（−ＮＲ14Ｒ15）、ＯＨ、擬ハロゲン基、アミド（−Ｃ＝Ｏ（ＮＲ14））、−ＮＲ14Ｃ＝Ｏ（Ｒ15）、ホスホネート（−Ｐ（Ｏ）（ＯＲ14）2、ホスフェート（−ＯＰ（Ｏ）（ＯＲ14）2）、ホスフィン（−ＰＲ14Ｒ15）、ホスフィンオキシド（−Ｐ（Ｏ）Ｒ142）、スルフェート（−ＯＳ（Ｏ）2ＯＲ14）、スルホキシド（−Ｓ（Ｏ）Ｒ14）、スルホネート（−Ｓ（Ｏ）2ＯＲ14）、スルホニル（−Ｓ（Ｏ）2Ｒ14）、スルホンアミド（−Ｓ（Ｏ）2ＮＲ14Ｒ15）、ＮＯ2、ボロン酸エステル（−ＯＢ（ＯＲ14）2）、イミノ（−Ｃ＝ＮＲ14Ｒ15））、ボラン基、スタンナン基、ヒドラジン基、ヒドラゾン基、オキシム基、ニトロソ基、ジアゾ基、ビニル基、スルホキシミン、アラン、ゲルマン、ボロキシムおよびボラジンからなる群から選択される、供与体または受容体作用を有する置換基であり；
Ｒ14、Ｒ15、Ｒ16は、それぞれ独立して、置換または非置換のＣ1〜Ｃ20−アルキル、あるいは置換または非置換のＣ6〜Ｃ30−アリールであり；
ｑ、ｒは、それぞれ独立して、０、１、２または３であり；
式（ｃ）の基における基および添字Ｘ”’、Ｒ5”’、Ｒ6”’、Ｒ7”’、Ｒa”’、Ｒb”’、ｑ”’およびｒ”’は、それぞれ独立して、一般式（Ｉ）の化合物の基および添字Ｘ、Ｒ5、Ｒ6、Ｒ7、Ｒa、Ｒb、ｑおよびｒについて定義されている通りであり、
一般式（Ｉ）の化合物のＸ基がＮＲ1である場合は、式（Ｉ）の化合物におけるＲ1〜Ｒ7、ＲaまたはRb基の少なくとも１つが少なくとも１つのヘテロ原子を含む。］の少なくとも１つの化合物（ただし、式
【化３】
2010532557.tif 000003
の化合物と、式
【化４】
2010532557.tif 000004
の化合物は除く）を含む有機発光ダイオード。
【請求項２】
電子／励起子に対する少なくとも１つの遮断層、正孔／励起子に対する少なくとも１つの遮断層、少なくとも１つの正孔注入層、少なくとも１つの正孔伝導体層、少なくとも１つの電子注入層および少なくとも１つの電子伝導体層からなる群から選択される少なくとも１つのさらなる層をさらに含む請求項１に記載の有機発光ダイオード。
【請求項３】
Ｒ2、Ｒ3およびＲ4基の少なくとも１つおよび／またはＲ5、Ｒ6およびＲ7基の少なくとも１つが置換または非置換のＣ6〜Ｃ30−アリールである、請求項１または２に記載の有機発光ダイオード。
【請求項４】
一般式（Ｉ）の化合物が、一般式（Ｉａ）：
【化５】
2010532557.tif 000005
［式中、
Ｘは、ＮＲ1、Ｓ、Ｏ、ＰＲ1、ＳＯ2またはＳＯであり、
Ｒ1は、置換または非置換のＣ1〜Ｃ20−アルキル、あるいは非置換のまたはＣ1〜Ｃ20−アルキル、Ｃ6〜Ｃ30−アリール、メトキシ、フェニルオキシ、ハロゲン化Ｃ1〜Ｃ4−アルキル、ハロゲン、ＣＮ、ＳｉＲ14Ｒ15Ｒ16、ジフェニルアミノ、−Ｃ（Ｏ）ＯＣ1〜Ｃ4−アルキル、Ｐ（Ｏ）Ｐｈ2及びＳＯ2Ｐｈからなる群から選択される少なくとも１種のさらなる基によって置換されたＣ6〜Ｃ30−アリール、あるいは５〜３０個の環原子を有する置換または非置換のヘテロアリールであり；
Ｒ2、Ｒ3、Ｒ4、Ｒ5、Ｒ6、Ｒ7は、それぞれ独立して、置換または非置換のＣ1〜Ｃ20−アルキル、あるいは置換または非置換のＣ6〜Ｃ30−アリール、あるいは一般式（ｃ）の構造体であり；
Ｒ8、Ｒ9、Ｒ10、Ｒ11、Ｒ12、Ｒ13は、それぞれ独立して水素であり、またはそれぞれ独立して、置換または非置換のＣ1〜Ｃ20−アルキル、置換または非置換のＣ6〜Ｃ30−アリール、５〜３０個の環原子を有する置換または非置換のヘテロアリール、あるいは供与体または受容体作用を有する置換基であり；
Ｒ14、Ｒ15、Ｒ16は、それぞれ独立して、置換または非置換のＣ1〜Ｃ20−アルキル、あるいは置換または非置換のＣ6〜Ｃ30−アリールである。］の３，６−ジシリル置換化合物である、請求項１から３までのいずれか一項に記載の有機発光ダイオード。
【請求項５】
Ｒ1〜Ｒ7、ＲaおよびＲb基およびＸ基がそれぞれ以下：
Ｘは、ＮＲ1であり；
Ｒ1は、非置換のまたはＣ1〜Ｃ20−アルキル、Ｃ6〜Ｃ30−アリール、メトキシ、フェニルオキシ、ハロゲン化Ｃ1〜Ｃ4−アルキル、ハロゲン、ＣＮ、ＳｉＲ14Ｒ15Ｒ16、ジフェニルアミノ、−Ｃ（Ｏ）ＯＣ1〜Ｃ4−アルキル、Ｐ（Ｏ）Ｐｈ2及びＳＯ2Ｐｈからなる群から選択される少なくとも１種のさらなる基によって置換されたＣ6〜Ｃ30−アリールであり；
Ｒ2、Ｒ3、Ｒ4、Ｒ5、Ｒ6、Ｒ7は、それぞれ独立して、置換または非置換のＣ1〜Ｃ20−アルキル、あるいは置換または非置換のＣ6〜Ｃ30−アリール、あるいは一般式（ｃ）の構造体であり；
Ｒ8、Ｒ9、Ｒ10、Ｒ11、Ｒ12、Ｒ13は、それぞれ独立して水素であり、またはそれぞれ独立して、置換または非置換のＣ1〜Ｃ20−アルキル、置換または非置換のＣ6〜Ｃ30−アリール、５〜３０個の環原子を有する置換または非置換のヘテロアリール、あるいは供与体または受容体作用を有する置換基であり；
Ｒ14、Ｒ15およびＲ16は、それぞれ独立して、置換または非置換のＣ1〜Ｃ20−アルキルあるいは置換または非置換のＣ6〜Ｃ30−アリールであり；
Ｒa、Ｒbは、それぞれ独立して、置換または非置換のＣ1〜Ｃ20−アルキル、あるいは置換または非置換のＣ6〜Ｃ30−アリール、あるいは５〜３０個の環原子を有する置換または非置換のヘテロアリール；あるいはＣ1〜Ｃ20−アルコキシ、Ｃ6〜Ｃ30−アリールオキシ、Ｃ1〜Ｃ20−アルキルチオ、Ｃ6〜Ｃ30−アリールチオ、ＳｉＲ14Ｒ15Ｒ16、ハロゲン基、ハロゲン化Ｃ1〜Ｃ20アルキル基、カルボニル（−ＣＯ（Ｒ14））、カルボニルチオ（−Ｃ＝Ｏ（ＳＲ14））、カルボニルオキシ（−Ｃ＝Ｏ（ＯＲ14））、オキシカルボニル（−ＯＣ＝Ｏ（Ｒ14））、チオカルボニル（−ＳＣ＝Ｏ（Ｒ14））、アミノ（−ＮＲ14Ｒ15）、ＯＨ、擬ハロゲン基、アミド（−Ｃ＝Ｏ（ＮＲ14））、−ＮＲ14Ｃ＝Ｏ（Ｒ15）、ホスホネート（−Ｐ（Ｏ）（ＯＲ14）2、ホスフェート（−ＯＰ（Ｏ）（ＯＲ14）2）、ホスフィン（−ＰＲ14Ｒ15）、ホスフィンオキシド（−Ｐ（Ｏ）Ｒ142）、スルフェート（−ＯＳ（Ｏ）2ＯＲ14）、スルホキシド（−Ｓ（Ｏ）Ｒ14）、スルホネート（−Ｓ（Ｏ）2ＯＲ14）、スルホニル（−Ｓ（Ｏ）2Ｒ14）、スルホンアミド（−Ｓ（Ｏ）2ＮＲ14Ｒ15）、ＮＯ2、ボロン酸エステル（−ＯＢ（ＯＲ14）2）、イミノ（−Ｃ＝ＮＲ14Ｒ15））、ボラン基、スタンナン基、ヒドラジン基、ヒドラゾン基、オキシム基、ニトロソ基、ジアゾ基、ビニル基、スルホキシミン、アラン、ゲルマン、ボロキシムおよびボラジンからなる群から選択される、供与体または受容体作用を有する置換基である請求項１から４までのいずれか一項に記載の有機発光ダイオード。
【請求項６】
Ｒ2、Ｒ3およびＲ4の群からの基の少なくとも１つおよび／またはＲ5、Ｒ6およびＲ7の群からの基の少なくとも１つが、独立して、以下の式：
【化６】
2010532557.tif 000006
［式中、
ｐは、０、１、２、３、４または５であり；
Ｒ17は、水素、置換または非置換のＣ1〜Ｃ20−アルキル、置換または非置換のＣ6〜Ｃ30−アリール、５〜３０個の環原子を有する置換または非置換のヘテロアリール、供与体または受容体を有する置換基、あるいは一般式ａまたはｂ
【化７】
2010532557.tif 000007
の基であり、
Ｘ’は、ＮまたはＰであり、
基および添字Ｘ”、Ｒ2’、Ｒ3’、Ｒ4’、Ｒ5’、Ｒ5”、Ｒ6’、Ｒ6”、Ｒ7’、Ｒ7”、Ｒa’、Ｒa”、Ｒb’、Ｒb”、ｑ’、ｑ”、ｒ’およびｒ”は、それぞれ独立して、基および添字Ｘ、Ｒ2、Ｒ3、Ｒ4、Ｒ5、Ｒ6、Ｒ7、Ｒa、Ｒb、ｑおよびｒについて定義されている通りであり；あるいは
Ｒ2、Ｒ3およびＲ4基の１つおよび／またはＲ5、Ｒ6およびＲ7基の１つが一般式ｃ
【化８】
2010532557.tif 000008
の基であり、
基および添字Ｘ”’、Ｒ5”’、Ｒ6”’、Ｒ7”’、Ｒa”’、Ｒb”’、ｑ”’およびｒ”’は、それぞれ独立して、基および添字Ｘ、Ｒ5、Ｒ6、Ｒ7、Ｒa、Ｒb、ｑおよびｒについて定義されている通りである。］の置換または非置換のＣ6−アリールである、請求項１から５までのいずれか一項に記載の有機発光ダイオード。
【請求項７】
存在し得る少なくとも１つのさらなる層が、電子に対する遮断層、正孔注入層および正孔伝導体層からなる群から選択され、式（Ｉ）の少なくとも１つの化合物が、さらなる層および／または発光層の少なくとも１つに存在し、式（Ｉ）の化合物は、置換または非置換のＣ1〜Ｃ20−アルキル、非置換のＣ6〜Ｃ30−アリール、アルキル置換Ｃ6〜Ｃ30−アリール、供与体作用を有する少なくとも１つの置換基で置換されたＣ6〜Ｃ30−アリール及び５〜３０個の環原子を有するヘテロアリールで置換されたＣ6〜Ｃ30−アリールからなる群から選択される少なくとも１つのＲ2、Ｒ3、Ｒ4、Ｒ5、Ｒ6またはＲ7基を有する、請求項１から６までのいずれか一項に記載の有機発光ダイオード。
【請求項８】
存在し得る少なくとも１つのさらなる層は、正孔に対する遮断層、電子注入層および電子伝導体層からなる群から選択され、式（Ｉ）の少なくとも１つの化合物が、さらなる層および／または発光層の少なくとも１つに存在し、式（Ｉ）の化合物は、受容体作用を有する少なくとも１つの置換基で置換されたＣ1〜Ｃ20−アルキル、受容体作用を有する少なくとも１つの置換基で置換されたＣ6〜Ｃ30−アリール及び５〜３０個の環原子を有する少なくとも１つのヘテロアリールで置換されたＣ6〜Ｃ30−アリールからなる群から選択される少なくとも１つのＲ2、Ｒ3、Ｒ4、Ｒ5、Ｒ6またはＲ7基を有する、請求項１から７までのいずれか一項に記載の有機発光ダイオード。
【請求項９】
一般式（Ｉ）の化合物のＸ基がＮＲ1である場合は、式（Ｉ）の化合物におけるＲ1〜Ｒ7、ＲaまたはＲb基の少なくとも１つが少なくとも１つのヘテロ原子を含む、請求項１から８までのいずれかに記載の式（Ｉ）の少なくとも１つの化合物を含む発光層。
【請求項１０】
一般式（Ｉ）の化合物のＸ基がＮＲ1である場合は、式（Ｉ）の化合物におけるＲ1〜Ｒ7、ＲaまたはＲb基の少なくとも１つが少なくとも１つのヘテロ原子を含む、有機発光ダイオードにおけるマトリックス材料、正孔／励起子遮断材料および／または電子／励起子遮断材料および／または正孔注入材料および／または電子注入材料および／または正孔伝導体材料および／または電子伝導体材料としての、請求項１から８までのいずれかに記載の一般式（Ｉ）の化合物の使用方法。
【請求項１１】
請求項１から８までのいずれか一項に記載の少なくとも１つの有機発光ダイオードを含むコンピュータ、テレビの視覚ディスプレイ装置、プリンタ、台所器具および広告板、照明、情報板における視覚ディスプレイ装置などの固定視覚ディスプレイ装置、ならびに携帯電話、ラップトップ、デジタルカメラ、車両ならびにバスおよび電車の行先表示ならびに照明装置における視覚ディスプレイ装置などの移動視覚ディスプレイ装置からなる群から選択されるデバイス。